【事件の表示】
　平成　９年特許願第５２１３７４号「自動化生検装置のための調節システム及び方法」拒絶査定不服審判事件〔平成　９年　６月１２日国際公開、ＷＯ９７／２０５０４、平成１３年　９月１８日国内公表、特表２００１−５１５３７２〕について、次のとおり審決する。
【結　論】
　本件審判の請求は、成り立たない。
【理　由】
Ｉ．手続の経緯
　本願は、平成７年１２月６日に出願された米国出願（０８／５６８１４３）に基づく優先権を主張し、日本国を指定国として、平成８年１２月４日に出願された国際出願である。
　本願について、平成１７年３月２９日（発送日）に拒絶理由が通知され、それに対して同年９月２９日付けで手続補正がなされたものの、同年１１月１５日に拒絶査定の謄本の発送がなされ、この査定に対し、平成１８年２月１３日に拒絶査定不服審判が請求されたものである。
　
II．本願発明について
１．本願発明
　本願の出願に係る発明は、平成１７年９月２９日付け手続補正書によって補正された、特許請求の範囲の請求項１乃至２０に記載されたとおりのものであるところ、請求項１に係る発明（以下、「本願発明」という。）は、次のとおりのものと認める。
「組織に侵入するための遠位末端及び、前記の遠位末端の近位に設置され、組織の一部を受納するために隣接して配置されているノッチ、を有する第１の細長いカニューレ；
　前記の第１のカニューレと同軸に配置されている第２の細長いカニューレであって、前記のノッチを過ぎて滑動する時に、前記のノッチ中に突き出している組織の部分を切断するために第１のカニューレに沿って滑動可能であり、それにより、前記の第１のカニューレの遠位末端に近位の、前記の第１の細長いカニューレ内に、切断した組織の部分を保管する第２のカニューレ；
　前記のノッチを、前記の第１のカニューレの周りの異なった場所から組織を採取するための、どんな所望の方向へも回転できるように、前記の第１のカニューレをその縦軸の周りに回転駆動させるための、第１の駆動機構；
　前記の第１のカニューレに関連して前記の第２のカニューレを移動させるための、第２の駆動機構；
　ユーザーに標的の病巣部位を表示するための画面を有するモニター；
　組織標本を採取する予定の前記の標的の病巣領域に関する、前記のユーザーからの指示を受けるための、及び前記領域からの組織標本を取得するためにユーザーからの指示に対し反応する指示を発生するためのプロセッサー；並びに
　前記のプロセッサーから指示を受けるためそして、組織標本を得るための所望の方向に前記のノッチを回転させるための、前記の第１の駆動機構、並びに、前記の組織標本を、それが前記の第１のカニューレ内に保管されるように切断するために、前記の第２のカニューレを移動させるための前記の第２の駆動機構、を自動的に調節するためのコントローラー：を含んでなる自動生検装置。」
　なお、請求項１には、「…切断した組織の部分を保管する第２ノカニューレ；」、「…ユーザーからの指示に対し反応する指示を発生するまめのプロセッサー；」と記載されているが、それらの記載中の「第２ノカニューレ」は「第２のカニューレ」の誤記、また、「発生するまめの」は、審判請求の理由において審判請求人が自認するとおり、「発生するための」の誤記であると認められるので、上記のとおり本願発明を認定した。
　
２．引用刊行物の記載事項
　原査定の拒絶の理由で引用された、本願の優先権主張の日前に頒布された刊行物である国際公開第９５／２５４６５号（以下、「引用文献１」という。）、ならびに、米国特許第５４１５１６９号明細書（以下、「引用文献２」という。）の記載事項は、以下のとおりである。
（２−１）引用文献１
　以下の邦訳された技術的事項の引用は、引用文献１に対応する翻訳文の日本国内公表に係る公報である特表平９−５１０６３８号公報に基づいた。
（ア）明細書第３６頁の請求項１
「１．順次生検される複数の個別の組織サンプルを取得するための生検装置であって：
　　回転可能な保持具と；
　　組織を穿刺するための鋭利な先端部を有する細長い外側穿刺針であって、該外側穿刺針は、前記鋭利な先端部が所定のターゲット位置にある組織塊内の確定された位置に保持されるように、前記保回転可能な保持具に取り付けられており、また該外側穿刺針は、前記鋭利な先端部の基部に位置した側部開口を有し、該開口はこれに隣接した組織塊の一部を受容するためのものである外側穿刺針と；
　　前記細長い外側穿刺針の中に同軸的かつ摺動可能に配置された細長い内側套管であって、該内側套管は鋭利な先端部を有し、この鋭利な先端部は該套管が前記側部開口を通過して摺動するときに、前記細長い外側穿刺針の側部開口の中に脱出した組織の一部を切断し、これによって切断された組織部分を前記鋭利な先端部に近い内側套管の中に収容する細長い内側套管と；
　　前記細長い内側套管に連結されており、且つ前記細長い内側套管を前記細長い外側穿刺針内で軸方向に動かすように構成されている内側套管ドライバーと；
　　複数の組織サンプル容器を有する組織サンプルカートリッジであって、該組織サンプルカートリッジは、前記細長い外側穿刺針の先端に近接して位置し、また前記内側套管ドライバーが前記内側套管を前記外側穿刺針から抜き取るときに、前記細長い内側套管の前記鋭利な先端に近接した中にある切断された組織部分を受け入れるように構成されている組織サンプルカートリッジとを有する生検装置。」（公表公報【特許請求の範囲】第１項）
（イ）明細書第２１頁第１７行〜同第２２頁第１８行
「中空の外側穿刺針４４は、外側穿刺針延長インデックス歯車４８と同様に、カセットハウジング３６に取り付けられている。…　穿刺針駆動モータ５６に取り付けられた穿刺針駆動歯車５２は、穿刺針インデックス歯車４８と噛み合っている。…　穿刺針線形ドライバー６４は、穿刺針摺動支持体６０に連結されている。…
　…套管状内側カッター６８は、中空穿刺針４４内に同軸的に且つ移動可能に位置付けられている。套管状カッタ駆動モータ８０に取り付けられた套管状内側カッター駆動歯車７６は、套管状内側カッター延長インデックス歯車７２と噛み合っている。…　内側カッター線形ドライバー８８は、内側カッター摺動支持体８４に連結されている。…
　制御ユニット１１８（図２）は、駆動モータ５６，８０，１０４；線形ドライバー６４，８８，１１２；およびポート１１６に連結された減圧源を制御する。制御ユニット１１８は、使用者によって、個別の複数の位置から検体の組を採取するようにプログラムすることができ、斯かる位置の記録を出力して、個々のサンプルを前記個別の位置に関連付けることができる。」（公表公報第３３頁第２５行〜第３４頁第２４行）
（ウ）明細書第２２頁第２９行〜同第２３頁第６行
「図６Ａ〜６Ｈを参照して、生検器具の操作を説明する。…例えば、全体の生検器具１０は、種々の医療器具を患者に対して正確に位置付けるために医療分野で通常用いられる、図示しない商業的に入手可能な立体的ガイドシステム(stereotactic guidance system)（例えばフィッシャー(Fischer)）にマウントされてもよい。このような電動化された生検針位置決め装置、即ち、立体的ガイドシステムの詳細な説明は、1993年８月31日にミカエル・アッサ(Michael Assa)に付与された米国特許第5,240,011号に与えられており、この特許は本明細書の一部をなす参照としてここに組み込まれる。」（公表公報第３５頁第５〜１５行）
（エ）明細書第２３頁第２１行〜同第２４頁第１８行
「サンプリングすべき特定の病巣領域に尖頭４５が近接したら、線形アクチュエータ６４に信号を送る制御ユニット１１８により、組織サンプル１３２内における尖頭４５の位置の微小変更が達成され、中空外側穿刺針４４をその軸に沿って前進および後退させる。図６Ｂに示すように、線形アクチュエータ６４は、中空外側穿刺針４４を組織サンプル１３２の中に前進させる。…
　図６Ｃに示されるように、組織１３２内において組織サンプルを得る上で望ましい正確な位置に、中空外側穿刺針４４が位置付けられた後、制御ユニット１１８は、管状ノックアウトピン９２の減圧連結部１１６に適用される減圧源を作動させることにより、中空外側穿刺針４４内に低圧領域を発生させる。…
　脱出した組織サンプル１３２ａは、図６Ｄに示すように、套管状の内側カッタ６８が前進することによって主組織塊１３２から切断される。套管状の内側カッタ６８の前進は、線形アクチュエータ８８に信号を送る制御ユニット１１８によって作動される。信号を受けたアクチュエータ８８は、套管状の内側カッター６８を、中空外側穿刺針４４内において、その軸に沿い且つ組織受入れ口４６を越えて前進させることにより、脱出した組織サンプル１３２ａを主組織塊１３２から切断する。組織塊１３２から切断された後に、この組織サンプル１３２ａは、套管カッター６８がピン４１に対して前方に移動するときに該カッタ６８の中に収容され、套管状内側カッター６８の内部に止まる。」（公表公報第３５頁第２６行〜第３６頁第２２行）
（オ）明細書第２５頁第１２行〜同第２６頁第２４行
「図７および８は、図６Ｈの矢印７−７に沿った断面図を示している。これらの図は、中空外側穿刺針４４および組織受入れ口４６を組織塊１３２から動かすことなく、四つの異なった角度から組織塊１３２の四つのサンプルを取得する方法を図示している。…
　外側穿刺針駆動モータ５６（図２）は、図７Ｂに示した角度位置まで、中空外側穿刺針４４をその軸の回りに90度回転させる。この回転によって、組織受入れ口４６は、円弧１４０Ｂによって規定される組織１３２の新たな領域に近接させる。…軸回りの回転は90度に限定されることなく、所望の角度とすることができる。」（公表公報第３７頁第１６行〜第３８頁１８行）
（カ）明細書第３２頁第８〜３６行
「図１７には、本発明の生検器具の別の実施例が示されている。…
　操作に際して、中空外側穿刺針７４４は、サンプルの取得が望まれる位置にある組織塊の中に配置される。図１６を参照して述べたようにして、減圧マニホルド６４８に減圧を適用して、組織サンプル受入れ口７４６の中に、能動的に組織を引き込む。駆動モータ７５６は、組織サンプル受入れ口７４６が向けられるべき角度位置を制御する。駆動モータ７８０は、套管状内側カッター７６８を回転させ、該カッターを穿刺針７４４および内側カッタ７６８の共通の長手軸に沿ってサンプル受入れ口７４６の中へと回転および前進させることにより、組織サンプルを切断する。」（公表公報第４４頁第３〜２４行）
（キ）Ｆｉｇ２、Ｆｉｇ６Ａ〜６Ｈ、Ｆｉｇ７Ａ〜７Ｄ、Ｆｉｇ１７
Ｆｉｇ２には「各駆動モータ、線形ドライバと制御ユニットの関係の模式図」が図示されている。Ｆｉｇ６Ａ〜６Ｈには「組織採取時の外側穿刺針と内側套管との関係」が図示され、特にＦｉｇ６Ｄには「組織切断後、外側穿刺針の先端部の基部の外側穿刺針内に位置する内側套管内に、切断した組織が収容されること」が図示されている。また、Ｆｉｇ７Ａ〜７Ｄには「サンプリングすべき組織塊中で外側穿刺針が回転することにより、異なった領域の組織が採取されること」が、Ｆｉｇ１７には「生検装置機構の全体図」が、それぞれ図示されている。
　
　これらの記載を総合すると、引用文献１には、
「組織を穿刺するための鋭利な先端部、及び、前記鋭利な先端部の基部に位置し、隣接した組織塊の一部を受容するための側部開口を有し、回転可能な保持具に取り付けられた細長い外側穿刺針；
　前記の外側穿刺針の中に同軸に配置されている鋭利な先端部を有する細長い内側套管であって、前記の側部開口を過ぎて摺動する時に、前記の側部開口の中に脱出した組織の一部を切断するために細長い外側穿刺針の中を摺動可能であり、それにより、前記の細長い外側穿刺針の前記先端部の基部の前記の細長い外側穿刺針内に、切断した組織部分を収容する細長い内側套管と；
　前記の側部開口を、サンプリングすべき組織塊の中の異なった領域から組織を採取するため、所望の方向に回転できるように、前記の細長い外側穿刺針をその軸の周りに回転させるための、外側穿刺針駆動モータ：
　前記の細長い外側穿刺針の中を同軸上に前記の細長い内側套管を前進させるための、線形アクチュエータ；
　前記駆動モータと前記線形アクチュエータとを、組織塊の一部を採取するために制御するプログラム可能な制御ユニット；
を含んでなり、
　商業的に入手可能な立体的ガイドシステムである電動化された生検針位置決め装置にマウントされ得る生検装置。」の発明（以下、「引用発明」という。）が記載されている。
　
（２−２）引用文献２
　以下の技術的事項の摘記は、該当箇所に関して当審で行った邦訳である。
（ク）明細書第１欄第２４〜３２行
「本発明は、女性の乳房の触診できない病変から、細胞あるいは組織標本を検知・取得するための、いわゆるマモグラフィー生検装置に関する。さらに詳しくは、本発明は、検査対象下にある患者の乳房中の関心領域の同定箇所への挿入を可能にするため、自動的に生検針を位置させるモータを備えた生検針配置装置と協働する、進歩したマモグラフィック生検針装置に関する。」
（ケ）明細書第５欄第５４行〜同第６欄第３行
「遠隔の観察とディスプレイの箱は、生検針配置モータコントローラーから、回転、角度および深さの空間の座標を受け取り、40文字の英数字ディスプレイ上に、臨床医あるいは他の使用者ために、それらを表示する。遠隔の観察とディスプレイの箱は、乳房生検検査の間、X線参照フィルムを観察する便宜を提供するため、X線の参照フィルムを配置して投射するための手段を含んでいるテーブル上にマウントされている。
　生検針配置モータコントローラーの動作は、Fig.3の詳細を参照して理解される。生検針配置モータコントローラーは、フィルム・ディジタイザと座標計算機から、患者の乳房の関心領域の同定箇所の空間座標を受け取り、生検針配置機構を構成する3つの直流モーター12、14および16を動作させるのに必要な変数を計算する。」
（コ）明細書第６欄第１４〜２４行
「生検針配置モータコントローラー内の中央処理装置(8032CPU)は、遠隔の観察とディスプレイの箱と、RS422シリアル変換器U29を介して、直接シリアル通信リンクを有する。さらに8032CPUは、2重の同時的普遍送信／受信器DUARTを介して、2つの双方向通信リンクを有する。それは、生検針配置モータコントローラーと、フィルム・ディジタイザと座標計算機との間(シリアルchannelB)、及び、オペレーター用のハンドコントローラーとの間(シリアルchannelA)のシリアル通信を提供する。」
（サ）明細書第９欄第１４〜２７行
「FIG.6のフローチャートのブロック5に従って、8032CPUは、シリアル通信channelBを経由し、そしてDUART U20を介して、フィルム・ディジタイザと座標計算機に、患者の乳房の関心領域の同定箇所の空間座標を要求する。その後、ソフトウェアはルーチンブロック6に進む。
　FIG.6のフローチャートのブロック6に従って、フィルム・ディジタイザと座標計算機は、それらの空間座標を含んでいる、フォーマットされたデータパッケージを送ることにより、空間座標の要求に応答する。このデータパッケージは、RAM U15のXDATAバッファーセクションに自動的に格納さる。その後、ソフトウェアはルーチンブロック7に進む。」
（シ）明細書第１０欄第３６〜５０行
「上記に詳述したように、FIG.6にフローチャート化されたソフトウェアは、本発明の電動生検針配置装置のハイレベル運転モードを制御する。これらの運転モードは、生検針動作の手動制御を可能にするJOGモード、生検針をHOME位置に配するHOMEモード、患者の乳房の関心領域の同定箇所に生検針を挿入する動作を行うTARGETモード、患者の乳房内の関心領域の同定箇所から空間的にずれた箇所に生検針を挿入する動作を行うOFFSETモード、そして、エラーメッセージがユーザに視覚的に表示されるERRORモードを含んでいる。」
（ス）明細書第１１欄第６〜２４行
「操作に際し、臨床医ユーザは、フィルム・ディジタイザと座標計算機を用い、患者の乳房中の関心領域の同定箇所をディジタイズし、次いで、その関心領域の同定箇所の空間座標を計算することによって乳房生検手続きを始める。計算された空間座標は、フィルム・ディジタイザおよび座標計算機、遠隔の観察とディスプレイの箱、およびオペレーターハンドコントローラーのディスプレイに表示される。その後、ユーザは、オペレーターハンドコントローラーのENABLEとTARGETのキーを同時に押すことにより、関心領域の同定箇所に生検針を挿入し得るよう生検針を正確に位置決めする、生検針配置機構を自動的にセットするため、オペレーターハンドコントローラーを用いる。一旦、関心領域の同定箇所がサンプリングされると、ユーザは周囲の組織の生検を行いたいと思うかもしれない。これは、3つの座標軸(回転、角度および深さ)について所望の数のオフセットを入力することにより達成される。」
　　
 　これらの記載からして、引用文献２には、
「患者の乳房中の関心領域の同定箇所への挿入を可能にするための、自動的に生検針を位置させるモータを備えた生検針配置装置と協働するマモグラフィック生検針装置であって、
　関心領域の同定箇所の空間座標を計算し、運転モードに対応した動作を行う中央処理装置を有する生検針配置モータコントローラと、
　前記モータコントローラから空間座標を受け取って表示するとともに、乳房生検検査の間、X線参照フィルムを観察する便宜を提供するため、X線の参照フィルムを配置して投射するための手段を含んでいるテーブル上にマウントされている遠隔の観察とディスプレイの箱を有し、
　臨床医ユーザの指示に基づいて、生検針動作の手動制御を可能にするJOGモード、生検針をHOME位置に配するHOMEモード、患者の乳房の関心領域の同定箇所に生検針を挿入する動作を行うTARGETモード、患者の乳房内の関心領域の同定箇所から空間的にずれた箇所に生検針を挿入する動作を行うOFFSETモード等の運転モードが選択可能な生検針装置。」の発明（以下、「引用文献２発明」という。）が記載されている。
　
３．対比
　本願発明と、引用発明とを対比する。
　引用発明の「組織を穿刺するための鋭利な先端部」、「鋭利な先端部の基部」、「隣接した組織塊の一部を受容するための」ならびに「摺動」は、それぞれ本願発明の「組織に侵入するための遠位末端」、「遠位末端の近位」、「組織の一部を受容するために隣接して配置」ならびに「滑動」と同義であると認められることから、引用発明の（ａ）「細長い外側穿刺針」、（ｂ）「側部開口」、（ｃ）「細長い内側套管」は、それぞれ、本願発明の（ａ’）「第１の細長いカニューレ」、（ｂ’）「ノッチ」、（ｃ’）「第２のカニューレ」に相当することは明らかである。
　そうすると、引用発明の「前記の細長い外側穿刺針の前記先端部の基部の前記の細長い外側穿刺針内に、切断した組織部分を収容する細長い内側套管」は、本願発明の「前記の第１のカニューレの遠位末端に近位の、前記の第１の細長いカニューレ内に、切断した組織の部分を保管する第２のカニューレ」と実質的に同義であり、また、引用発明の（ｄ）「外側穿刺針駆動モータ」、（ｅ）「線形アクチュエータ」が、本願発明の（ｄ’）「第１の駆動機構」、（ｅ’）「第２の駆動機構」に相当することも明らかである。
　
　してみると、引用発明と本願発明とは、
「組織に侵入するための遠位末端及び、前記の遠位末端の近位に設置され、組織の一部を受納するために隣接して配置されているノッチ、を有する第１の細長いカニューレ；
　前記の第１のカニューレと同軸に配置されている第２の細長いカニューレであって、前記のノッチを過ぎて滑動する時に、前記のノッチ中に突き出している組織の部分を切断するために第１のカニューレに沿って滑動可能であり、それにより、前記の第１のカニューレの遠位末端に近位の、前記の第１の細長いカニューレ内に、切断した組織の部分を保管する第２のカニューレ；
　前記のノッチを、前記の第１のカニューレの周りの異なった場所から組織を採取するための、どんな所望の方向へも回転できるように、前記の第１のカニューレをその縦軸の周りに回転駆動させるための、第１の駆動機構；
　前記の第１のカニューレに関連して前記の第２のカニューレを移動させるための、第２の駆動機構；
を含んでなる生検装置。」である点で一致し、以下の点で相違する。
　
（相違点）
　本願発明は、
「ユーザーに標的の病巣部位を表示するための画面を有するモニター；
　組織標本を採取する予定の前記の標的の病巣領域に関する、前記のユーザーからの指示を受けるための、及び前記領域からの組織標本を取得するためにユーザーからの指示に対し反応する指示を発生するためのプロセッサー；並びに
　前記のプロセッサーから指示を受けるためそして、組織標本を得るための所望の方向に前記のノッチを回転させるための、前記の第１の駆動機構、並びに、前記の組織標本を、それが前記の第１のカニューレ内に保管されるように切断するために、前記の第２のカニューレを移動させるための前記の第２の駆動機構、を自動的に調節するためのコントローラー： 」を具備し、「自動生検」を行う装置であるのに対し、
　引用発明は、「商業的に入手可能な立体的ガイドシステムである電動化された生検針位置決め装置にマウントされ得る」ことを示唆するとともに、「駆動モータと線形アクチュエータとを、組織塊の一部を採取するために制御するプログラム可能な制御ユニット」を有すにすぎない点。
　
４．検討・判断
　そこで、上記相違点について検討する。
　引用文献２発明の「X線の参照フィルムを配置して投射するための手段」ならびに「関心領域の同定箇所の空間座標を計算し、運転モードに対応した動作を行う中央処理装置」は、それぞれの機能からして、上記相違点中の「ユーザーに標的の病巣部位を表示するための画面を有するモニター」ならびに「組織標本を採取する予定の前記の標的の病巣領域に関する、前記のユーザーからの指示を受けるための、及び前記領域からの組織標本を取得するためにユーザーからの指示に対し反応する指示を発生するためのプロセッサー」と同様の機能を果たす手段である。
　ここで、引用文献２は、引用発明において組み込むことを示唆している「立体的ガイドシステムである電動化された生検針位置決め装置」に関する特許である米国特許第５２４００１１号（前記「２．（２−１）（ウ）」の摘記参照。）の継続出願特許明細書であり、前記米国特許は、引用文献２発明と概略同等の装置に関するものである。
　すると、上記相違点中の
「ユーザーに標的の病巣部位を表示するための画面を有するモニター；
　組織標本を採取する予定の前記の標的の病巣領域に関する、前記のユーザーからの指示を受けるための、及び前記領域からの組織標本を取得するためにユーザーからの指示に対し反応する指示を発生するためのプロセッサー」を具備する装置については、
引用発明が示唆する装置にすぎない。
　ところで、引用文献２発明は、「関心領域の同定箇所周囲の生検を行うため」、「中央処理装置によって生検針配置モータコントローラを動作させ、空間的にずれた箇所に生検針を挿入する動作」をも行う装置である。
　一方、引用発明は、「サンプリングすべき組織塊の中の異なった領域から組織を採取するため」、「所望の方向に回転できるように、細長い外側穿刺針をその軸の周りに回転させるための、外側穿刺針駆動モータ」ならびに「駆動モータと線形アクチュエータとを、組織塊の一部を採取するために制御するプログラム可能な制御ユニット」なる構成を具備する装置である。
　そうすると、引用発明に引用文献２発明を組み込むに際し、異なった位置の組織標本を採取する作用を達成するため、引用文献２発明の「空間的にずれた箇所に生検針を挿入する動作を行う」に代えて、引用発明が具備する前記の構成を利用するとともに、「制御ユニット」が中央処理装置からの指示を受けて動作し得るようにして、「制御ユニットが中央処理装置からの指示を受け、所望の方向にノッチを回転させるよう外側穿刺針駆動モータを駆動するとともに、それに関連して線形アクチュエータを同様に駆動」して、「異なった所望の位置の組織標本を得る」よう構成すること、
すなわち、「前記のプロセッサーから指示を受けるためそして、組織標本を得るための所望の方向に前記のノッチを回転させるための、前記の第１の駆動機構、並びに、前記の組織標本を、それが前記の第１のカニューレ内に保管されるように切断するために、前記の第２のカニューレを移動させるための前記の第２の駆動機構、を自動的に調節するためのコントローラー」からなる構成を採用し、「自動」生検装置として構成する程度のことは、引用文献１ならびに引用文献２に接した当業者であれば格別の困難なくなし得る事項にすぎない。
　そして、本願発明が奏する作用効果も、引用文献１ならびに引用文献２から当業者が想定可能な作用効果を超えるものでもない。
　してみると、本願発明は、引用発明ならびに引用文献２発明に基づいて当業者が容易になし得たものである。
　
５．むすび
　以上のとおり、本願の請求項１に係る発明は、特許法第２９条第２項の規定により、特許を受けることができないものである。
　したがって、その余の請求項に係る発明について論及するまでもなく、本願は拒絶すべきものである。
　よって、結論のとおり審決する。